(57)【要約】【課題】積載した複数枚のトレーの崩落を抑止するとともに、最上段のトレーを簡便に取り上げることができるようなトレーホルダを提供する。【解決手段】複数枚のトレーを積み上げた状態で載置することのできるベースと、前記ベースから起立し、ベース上に積載されたトレーの前縁に当接または近接する前柵と、前記ベースから起立するとともに、前記前柵の側端よりも外側方に位置しまたはその前端が前柵よりも後方に位置して前柵から離間しており、ベース上に積載されたトレーの側縁に当接または近接する側柵と、前記ベースから起立し、ベース上に積載されたトレーの後縁に当接または近接する後柵とを具備するトレーホルダを構成した。【選択図】図１
2018095314.tif 000002
【特許請求の範囲】
【請求項１】
複数枚のトレーを積み上げた状態で載置することのできるベースと、
前記ベースから起立し、ベース上に積載されたトレーの前縁に当接または近接する前柵と、
前記ベースから起立するとともに、前記前柵の側端よりも外側方に位置しまたはその前端が前柵よりも後方に位置して前柵から離間しており、ベース上に積載されたトレーの側縁に当接または近接する側柵と、
前記ベースから起立し、ベース上に積載されたトレーの後縁に当接または近接する後柵と
を具備するトレーホルダ。
【請求項２】
トレーが積載される前記ベースの上面が前方から後方に向かうにつれて沈み込むように傾斜している請求項１記載のトレーホルダ。
【請求項３】
前記後柵が、前記ベース上に積載されたトレーの後縁に突き当たる当接部と、この当接部よりも上方にあってその高さまで積み上げたトレーの後縁との間に隙間が生じるように当接部よりも後方に退避している退避部とを有している請求項１または２記載のトレーホルダ。
【請求項４】
前記側柵の前記ベースに対する取付位置を幅方向に沿って変更することができる請求項１、２、３または４記載のトレーホルダ。
【請求項５】
前記後柵と前記前柵とのうち少なくとも一方のベースに対する取付位置を前後方向に沿って変更することができる請求項１、２、３、４または５記載のトレーホルダ。
【請求項６】
前記前柵が透明である請求項１、２、３、４または５記載のトレーホルダ。
【発明の詳細な説明】
【技術分野】
【０００１】
本発明は、複数枚のトレーを積み上げた状態で保持するためのトレーホルダに関する。
【背景技術】
【０００２】
ベーカリーショップ等において、商品を選択し購入しようとする顧客が使用するトレーを積み上げて置いておくためのセルフスタンドが周知である（例えば、下記非特許文献を参照）。一般に、この種のスタンドは、トレーよりも大きい面積を有する平坦な天板を備えており、その天板上にトレーを積載するようになっている。
【０００３】
トレーを使用する者は、天板上に積み上がった複数枚のトレーのうちの最上段のトレーを取り上げるが、その際にトレーがセルフスタンドの天板から崩落してしまう懸念がある。また、水平な面上にトレーを垂直に積み上げていると、各段のトレーの間に隙間が生じにくく、最上段のトレーのみを手指で摘まむことが必ずしも容易でない。特に、トレーを裏返しに伏せた状態で、即ち底を上にした状態で積み上げていると（これは、トレーの内面に埃等が付着することを防ぎ、かつ使用者の手指が不用意にトレーの内面に触れることを避ける意図である）、最上段の一枚のトレーだけを取り上げることがより難しくなる。
【先行技術文献】
【非特許文献】
【０００４】
【非特許文献１】“セルフスタンド−調理器具通販のＳＨＯＫＵＢＩ”、［ｏｎｌｉｎｅ］、日本テレシステム株式会社、［平成２８年１１月４日検索］、インターネット＜ＵＲＬ：http://www.shokubi.jp/shop/c/c1706/＞
【発明の概要】
【発明が解決しようとする課題】
【０００５】
本発明は、積載した複数枚のトレーの崩落を抑止するとともに、最上段のトレーを簡便に取り上げることができるようなトレーホルダを提供しようとするものである。
【課題を解決するための手段】
【０００６】
上述した課題を解決するべく、本発明では、複数枚のトレーを積み上げた状態で載置することのできるベースと、前記ベースから起立し、ベース上に積載されたトレーの前縁に当接または近接する前柵と、前記ベースから起立するとともに、前記前柵の側端よりも外側方に位置しまたはその前端が前柵よりも後方に位置して前柵から離間しており、ベース上に積載されたトレーの側縁に当接または近接する側柵と、前記ベースから起立し、ベース上に積載されたトレーの後縁に当接または近接する後柵とを具備するトレーホルダを構成した。
【０００７】
特に、トレーが積載される前記ベースの上面は、前方から後方に向かうにつれて沈み込むように傾斜していることが望ましい。
【０００８】
前記後柵が、前記ベース上に積載されたトレーの後縁に突き当たる当接部と、この当接部よりも上方にあってその高さまで積み上げたトレーの後縁との間に隙間が生じるように当接部よりも後方に退避している退避部とを有しているならば、最上段のトレーを下方のトレーに対し相対的に後方に変位させるように操作することで、最上段のトレーのみを他のトレーから脱離させることができる。
【０００９】
幅寸法の異なるトレーに対応するためには、前記側柵の前記ベースに対する取付位置を幅方向に沿って変更できることが好ましい。
【００１０】
また、奥行寸法の異なるトレーに対応するためには、前記後柵と前記前柵とのうち少なくとも一方のベースに対する取付位置を前後方向に沿って変更できることが好ましい。
【００１１】
前記前柵が透明であるならば、ベース上に積載されたトレーを正面側から容易に視認できる。
【発明の効果】
【００１２】
本発明によれば、積載した複数枚のトレーの崩落を抑止でき、かつ最上段のトレーを簡便に取り上げることができるトレーホルダが実現される。
【図面の簡単な説明】
【００１３】
【図１】本発明の第一実施形態のトレーホルダの斜視図。
【図２】同実施形態のトレーホルダの正面図。
【図３】同実施形態のトレーホルダの側面図。
【図４】同実施形態のトレーホルダの分解斜視図。
【図５】同実施形態のトレーホルダをベースの上面の法線方向から見た平面図。
【図６】本発明の第二実施形態のトレーホルダの斜視図。
【図７】同実施形態のトレーホルダの斜視図。
【図８】同実施形態のトレーホルダの側面図。
【図９】同実施形態のトレーホルダの分解斜視図。
【発明を実施するための形態】
【００１４】
＜第一実施形態＞本発明の実施の形態を、図面を参照して説明する。本実施形態のトレーホルダは、複数枚のトレー７を積み上げた状態で保持するとともに、トレー７を使用しようとする者が一枚のトレー７を簡便に取り上げることを可能とするものである。
【００１５】
トレー７は、平面視略方形状の外形をなす。トレー７には、樹脂製のものも紙製のものもあるが、ベーカリーショップ等においては紙製のトレー７が使用されるケースが増えてきている。
【００１６】
図１ないし図５に示すように、本実施形態のトレーホルダは、複数枚のトレー７を載置するためのベース１と、当該ベース１の四方から起立した柵即ち前柵２、左右の側柵３及び後柵４とを具備する。前柵２、側柵３及び後柵４は、ベース１上に積載したトレー７がベース１上から崩落することを抑止する役割を担う。
【００１７】
ベース１は、例えば板金材を折曲成形することで作製される部材であり、底板１１と、底板１１の前端にて鉛直下方に屈曲して垂下する前壁１２と、前壁１２の下端にて後方に屈曲して延出する前側接地部１３と、底板１１の後端にて下方に屈曲した後壁１４と、後壁１４の下端にて後方に屈曲して延出する後側接地部１５とを備えている。
【００１８】
底板１１は、トレー７の後縁部を除く大部分が載せ置かれてこれを支持する部位であり、前方から後方に向かうにつれて沈み込むように傾斜している。なお、トレー７の後縁部は、後側接地部１５に載せ置かれる。底板１１の前端近傍、前側接地部１３の直上に位置する箇所には、幅方向に拡張し底板１１を貫通したスリット１１１を形成している。加えて、底板１１の左右両側に、当該底板１１を貫通する複数の取付孔１１２を穿ってある。これら取付孔１１２は、側柵３をベース１に取り付けるために使用する止着具５を挿入する孔である。
【００１９】
前側接地部１３と後側接地部１５とは、その下面が互いに略面一となっている。前側接地部１３の前端近傍の左右両側には、前側接地部１３を貫通する比較的内径の大きい取付孔１３１を穿っている。この取付孔１３１には、滑り止めとして機能する例えばゴム製の脚部品６を貫入して装着する。さらに、取付孔１３１よりも内側に、前側接地部１３を貫通する、取付孔１３１と比べて内径の小さい複数の取付孔１３２を穿っている。これら取付孔１３２は、前柵２をベース１に取り付けるために使用する止着具５を挿入する孔である。
【００２０】
また、後側接地部１５の後端近傍の左右両側にも、後側接地部１５を貫通する内径の大きい取付孔１５１を穿っており、この取付孔１５１に滑り止めとなる脚部品６を貫入して装着する。さらに、取付孔１５１よりも内側に、後側接地部１５を貫通する、取付孔１５１と比べて内径の小さい複数の取付孔１５２を穿っている。これら取付孔１５２は、後柵４をベース１に取り付けるために使用する止着具５を挿入する孔である。
【００２１】
前柵２を構成する部材は、例えば透明な樹脂製の一体成形品であり、幅方向に拡張しかつ上方に伸長する本体２１と、本体２１の下端から後方に屈曲して延出する取付部２２とを備えている。
【００２２】
前柵２の本体２１は、ベース１上に積載されるトレー７の前縁に当接または近接し、トレー７の前方への崩落を抑止する。本体２１の左右幅寸法は、その上部よりも下部の方が大きく拡張している。本体２１の下部の左右幅寸法は、ベース１の底板１１に形成したスリット１１１の開口幅に略等しい。
【００２３】
取付部２２は、ベース１の前側接地部１３に接合する部位である。前柵２をベース１に取り付けるにあたっては、取付部２２及び本体２１の下部を順次底板１１のスリット１１１に上方から挿入し、取付部２２の下面を前側接地部１３の上面に当接させるようにして、取付部２２を前側接地部１３に載置する。取付部２２には、当該取付部２２を貫通する複数の取付孔２２１を穿ってある。取付部２２を前側接地部１３に載置したとき、この取付部２２に穿設した各取付孔２２１と前側接地部１３に穿設した各取付孔１３２とがそれぞれ重なり合う。その状態で、双方の取付孔２２１、１３２に止着具５、例えばプッシュリベットを貫入することにより、取付部２２を前側接地部１３に対して固定する。
【００２４】
前柵２をベース１に取り付けたとき、ベース１の底板１１よりも上方に突出する本体２１は、底板１１の上面に対して略垂直に屹立する。既に述べた通り、底板１１は傾斜しており、前柵２の本体２１もまた幾分後傾した姿勢をとる。前柵２の本体２１は透明であり、ベース１上に積載されたトレー７を視覚的に遮ることがない。
【００２５】
左右に対をなす側柵３はそれぞれ、例えば樹脂製の一体成形品であり、奥行方向に拡張しかつ上方に伸長する本体３１と、本体３１の下端にて内側方に屈曲して延出する取付部３２とを備えている。
【００２６】
側柵３の本体３１は、ベース１上に積載されるトレー７の側縁に当接または近接し、トレー７の側方への崩落を抑止する。
【００２７】
取付部３２は、ベース１の底板１１に接合する部位である。取付部３２の奥行方向の中間部には、当該取付部３２の内側端から外側方即ち側柵３の本体３１の下端に向かって伸びる切り込み３２１を形成している。この切り込み３２１は、取付部３２を前後に分断する。しかして、取付部３２の前部には、その内側端から下方に屈曲して垂下した把手３２２を設けている。
【００２８】
側柵３をベース１に取り付けるにあたっては、まず、取付部３２の上面を、底板１１の左右両側部の下面に当接させる。取付部３２には、当該取付部３２を貫通する複数の取付孔３２３を穿ってある。そして、この取付部３２に穿設した各取付孔３２３と、底板１１に穿設した各取付孔１１２とをそれぞれ重ね合わせる。その状態で、双方の取付孔３２３、１１２に止着具５であるプッシュリベットを貫入することにより、取付部３２を底板１１に対して固定する。
【００２９】
側柵３をベース１に取り付けたとき、ベース１の底板１１よりも上方に突出する本体３１は、底板１１の上面に対して略垂直に屹立する。
【００３０】
本実施形態のトレーホルダでは、側柵３のベース１に対する取付位置を、幅方向即ち左右方向に沿って変更することが可能である。図４及び図５に示すように、側柵３の取付部３２には、前後に対向するように穿たれた一対の取付孔３２３と、それら取付孔３２３の中間に位置しかつ内側方に偏倚した箇所に穿たれた取付孔３２３とが存在する。他方、ベース１の底板１１の左右両側には、取付部３２の三つの取付孔３２３に対応するように穿たれた三つの取付孔の組１１２（ａ）、１１２（ｂ）、１１２（ｃ）が、幅方向に沿って複数配列されている。つまり、ベース１の底板１１における何れかの取付孔の組１１２（ａ）、１１２（ｂ）、１１２（ｃ）を選択し、その組の取付孔１１２に側柵３の取付部３２の取付孔３２３を重ね合わせて、しかる後それら取付孔３２３、１１２に止着具５を挿入することで、任意の取付位置に側柵３を取り付けることができる。ひいては、トレーホルダにおいて左右に両立する側柵３間の内法を、トレー７の幅寸法に合わせて複数段階に拡大または縮小することが可能となっている。なお、図５に示す例では、取付孔１１２（ｃ）を使用している。
【００３１】
後柵４は、例えば樹脂製の一体成形品であり、幅方向に拡張しかつ上方に伸長する本体４１と、本体４１の下端にて前方に屈曲して延出する取付部４２とを備えている。
【００３２】
後柵４の本体４１は、ベース１上に積載されたトレー７の後縁に当接または近接し、トレー７の後方への崩落を抑止する。この後柵４の本体４１は、取付部４２に連なる下端からある程度の高さまで上方に延びる当接部４１１と、当接部４１１の上端から一旦後方に屈曲してしかる後再び上方に延伸する退避部４１２とを有している。
【００３３】
取付部４２は、ベース１の後側接地部１５に接合する部位である。後柵４をベース１に取り付けるにあたっては、まず、取付部４２の下面を、後側接地部１５の上面に当接させる。取付部４２には、当該取付部４２を貫通する複数の取付孔４２１を穿ってある。そして、この取付部４２に穿設した各取付孔４２１と、後側接地部１５に穿設した各取付孔１５２とをそれぞれ重ね合わせる。その状態で、双方の取付孔４２１、１５２に止着具５であるプッシュリベットを貫入することにより、取付部４２を底板１１に対して固定する。
【００３４】
後柵４をベース１に取り付けたとき、ベース１の後側接地部１５よりも上方に突出する本体４１は、底板１１の上面に対して略垂直に屹立する。底板１１は傾斜しており、後柵４の本体４１もまた幾分後傾した姿勢をとる。
【００３５】
本実施形態のトレーホルダでは、後柵４のベース１に対する取付位置を、奥行方向即ち前後方向に沿って変更することが可能である。図４及び図５に示すように、後柵４の取付部４２には、左右に対向するように穿たれた一対の取付孔４２１と、それら取付孔４２１の中間に位置しかつ後方に偏倚した箇所に穿たれた取付孔４２１とが存在する。他方、ベース１の後側接地部１５には、取付部４２の三つの取付孔４２１に対応するように穿たれた三つの取付孔の組１５２（ａ）、１５２（ｂ）、１５２（ｃ）が、奥行方向に沿って複数配列されている。つまり、ベース１の後側接地部１５における何れかの取付孔の組１５２（ａ）、１５２（ｂ）、１５２（ｃ）を選択し、その組の取付孔１５２に後柵４の取付部４２の取付孔４２１を重ね合わせて、しかる後それら取付孔４２１、１５２に止着具５を挿入することで、任意の取付位置に後柵４を取り付けることができる。ひいては、トレーホルダにおいて前後に並立する前柵２と後柵４との間の内法を、トレー７の奥行寸法に合わせて複数段階に拡大または縮小することが可能となっている。なお、図５に示す例では、取付孔１５２（ａ）を使用している。
【００３６】
本実施形態のトレーホルダを用いる際には、図１ないし図３に示しているように、ベース１の上方、四方の柵２、３、４に包囲された領域内に、複数枚のトレー７を、通常は下向きにして伏せた状態で積み上げる。ベース１に載置したトレー７は、後縁部を除く大部分が底板１１上にある一方で、その後縁部が後側接地部１５上に迫り出す。
【００３７】
ベース１の底板１１の上面が傾斜しており、かつ後側接地部１５が底板１１の後端（または、下端）よりも低くなっていることから、複数枚のトレー７はやや傾いた軸に沿って上方に積み上がることとなる。このとき、図３に示すように、ベース１に近い下方に位置するトレー７の後縁は後柵４の当接部４１１に当接するが、当接部４１１よりも高い位置にあるトレー７の後縁は後柵４に当接せず、そのトレー７の後縁と後柵４の退避部４１２との間にはある程度の大きさの隙間Ｓが生じる。
【００３８】
本実施形態において、側柵３の本体３１は前柵２の本体２１の外側端よりも外側方に位置し、側柵３の本体３１の前端は前柵２の本体２１よりも後方に位置している。つまり、前柵２の本体２１と側柵３の本体３１とは離間しており、ベース１上に積載されるトレー７の前方の隅角部７１が両者の間に差し入って露出する。
【００３９】
因みに、後柵４の本体４１と側柵３の本体３１との間も、同様に離間している。即ち、側柵３の本体３１は後柵４の本体４１の外側端よりも外側方に位置し、側柵３の本体３１の後端は後柵４の本体４１よりも前方に位置しており、ベース１上に積載されるトレー７の後方の隅角部が両者の間に差し入って露出する。
【００４０】
本実施形態のトレーホルダからトレー７を持ち出して使用しようとする者は、前柵２及び側柵３によって遮られずに露出している（換言すれば、前柵２の本体２１よりも外側方に突出し、また側柵３の本体３１よりも前方に突出している）トレー７の隅角部７１に手指を掛けることで、ベース１上に積載された複数枚のトレー７のうちの最上段のトレー７を取り上げる。トレー７には、樹脂製のものも紙製のものもあるが、近時では、ベーカリーショップ等において紙製のトレー７が使用されるケースが増えてきている。紙製のトレー７は、硬質樹脂製のトレーと比較して全体的な剛性が低くなるものの、前縁と側縁とが交わる隅角部７１の剛性は他の部位と比較して高くなる。本実施形態のトレーホルダは、この剛性の高い隅角部７１を露出させる一方で、トレー７の隅角部７１以外の部位を前柵２や側柵３によって遮蔽する。これにより、トレー７を持ち出そうとする者が自然に隅角部７１に手指を掛けるように誘導される。
【００４１】
加えて、高い位置に積まれたトレー７の後縁と後柵４の退避部４１２との間には隙間Ｓが存在しており、その隙間Ｓを利用して最上段のトレー７を後柵４に向かって後方に変位させる操作を行うことで、最上段のトレー７を下方のトレー７に対し相対的に変位させることが可能である。これにより、最上段のトレー７のみを他のトレー７から脱離させることが容易となる。
【００４２】
本実施形態では、複数枚のトレー７を積み上げた状態で載置することのできるベース１と、前記ベース１から起立し、ベース１上に積載されたトレー７の前縁に当接または近接する前柵２と、前記ベース１から起立するとともに、前記前柵２の側端よりも外側方に位置し、またその前端が前柵２よりも後方に位置して前柵２から離間しており、ベース１上に積載されたトレー７の側縁に当接または近接する側柵３と、前記ベース１から起立し、ベース１上に積載されたトレー７の後縁に当接または近接する後柵４とを具備するトレーホルダを構成した。
【００４３】
本実施形態によれば、前柵２、側柵３及び後柵４が、ベース１上に積載された複数枚のトレー７の崩落を好適に抑止する。さらに、前柵２と側柵３とを間隙を隔てて設立しており、それら前柵２と側柵３との間隙を介してトレー７の隅角部７１を露出させることができる。このため、トレー７を手に取ろうとする者が、最上段のトレー７の隅角部７１に手指を掛けて簡便にこれをトレーホルダから持ち出すことが可能となる。また、トレー７の内部に手を触れずにトレー７を取り上げることができるので、そのトレー７を食品等を載せる目的で使用するときに衛生的である。
【００４４】
加えて、本実施形態では、トレー７が積載される前記ベース１の上面が前方から後方に向かうにつれて沈み込むように傾斜しているので、積み上げられた一枚一枚のトレー７の隅角部７１の間に手指を差し入れる隙間が生じやすくなる。いわば、前方においてトレー７の一枚一枚が離れやすくなる。従って、最上段のトレー７を一層容易に手に取ることができる。
【００４５】
前記後柵４が、前記ベース１上に積載されたトレー７の後縁に突き当たる当接部４１１と、この当接部４１１よりも上方にあってその高さまで積み上げたトレー７の後縁との間に隙間Ｓが生じるように当接部４１１よりも後方に退避している退避部４１２とを有しているため、最上段のトレー７を下方のトレー７に対し相対的に後方に変位させるように操作することが可能であり、最上段のトレー７のみを簡便に他のトレー７から脱離させることができる。
【００４６】
前記側柵３の前記ベース１に対する取付位置を幅方向に沿って変更することができるため、幅寸法の異なるトレー７に対応することが可能である。
【００４７】
並びに、前記後柵４のベース１に対する取付位置を前後方向に沿って変更することができるため、奥行寸法の異なるトレー７に対応することが可能である。
【００４８】
前記前柵２が透明であるため、ベース１上に積載されたトレー７を正面側から容易に視認することができる。
【００４９】
＜第二実施形態＞次に示す第二実施形態は、ベース１が長方形状をなしている、換言すれば長さの相異なる長辺１６１と短辺１６２とを有しており、その長辺１６１が奥行方向即ち前後方向を向くように配置するいわば「縦置き」での使用と、その長辺１６１が幅方向即ち左右方向を向くように配置するいわば「横置き」での使用とを任意に選択できるように構成したトレーホルダである。
【００５０】
図６ないし図９に示すように、本実施形態のトレーホルダもまた、複数枚のトレー７を載置するためのベース１と、当該ベース１の四方から起立した柵即ち前柵２、左右の側柵３及び後柵４とを具備する。
【００５１】
本実施形態におけるベース１は、平面視略長方形状の例えば金属製の薄板体であるベース本体１６と、この本体に対して着脱可能である支持体１７とを要素とする。ベース本体１６は、トレー７が載せ置かれてこれを支持する部位である。他方、支持体１７は、ベース本体１６を前方から後方に向かうにつれて沈み込むように傾斜した姿勢に維持するための部材であって、ベース本体１６の長辺１６１側または短辺１６２側の何れかの縁部に取り付けることとなる。
【００５２】
ベース本体１６の長辺１６１近傍の縁部及び短辺１６２近傍の縁部にはそれぞれ、当該ベース本体１６を貫通する複数の取付孔１６３を穿ってある。より具体的に述べると、ベース本体１６の長辺１６１近傍の縁部には、長辺１６１と平行な方向沿って離間する一対の取付孔１６３を設け、かつそれら取付孔の対１６３（ａ）、１６３（ｂ）、１６３（ｃ）を複数、長辺１６１に対し直交する方向に沿って配列している。同様に、ベース本体１６の短辺１６２近傍の縁部にも、短辺１６２と平行な方向沿って離間する一対の取付孔１６３を設け、かつそれら取付孔の対１６３（ａ）、１６３（ｂ）、１６３（ｃ）を複数、短辺１６２に対し直交する方向に沿って配列している。短辺１６２近傍の縁部に設けた複数の取付孔１６３の配置は、長辺１６１近傍の縁部に設けた複数の取付孔１６３の配置をベース本体１６の上面に直交する軸回りに９０°回転させたものに等しい。これら取付孔１６３は、支持体１７、側柵３及び後柵４をベース本体１６に取り付けるために使用する止着具５を挿入する孔である。
【００５３】
加えて、ベース本体１６の四隅に、ベース本体１６を貫通する比較的内径の大きい取付孔１６４を穿っている。この取付孔１６４には、滑り止めとして機能する例えばゴム製の脚部品６を貫入して装着する。
【００５４】
支持体１７は、例えば板金材を折曲成形することで作製され、ベース本体１６に接合する接合板１７１と、接合板１７１の前端にて下方に屈曲して垂下する前壁１７３と、前壁１７３の下端にて後方に屈曲して延出する前側接地部１７５とを備える。接合板１７１には、これを貫通する複数の取付孔１７２を穿っている。接合板１７１に設けた複数の取付孔１７２の配置は、ベース本体１６の長辺１６１近傍の縁部や短辺１６２近傍の縁部に設けた取付孔１６３の配置に等しい。また、接合板１７１の前端近傍、前側接地部１７５の直上に位置する箇所に、幅方向に拡張し接合板１７１を貫通したスリット１７７を形成している。
【００５５】
前壁１７３の左右両側には、当該前壁１７３を貫通する取付孔１７４を穿ってある。これら取付孔１７４は、前柵２を前壁１７３に取り付けるために使用する止着具５を挿入する孔である。
【００５６】
また、前側接地部１７５の左右両側に、前側接地部１７５を貫通する比較的内径の大きい取付孔１７６を穿っている。この取付孔１７６には、滑り止めとして機能する例えばゴム製の脚部品６を貫入して装着する。
【００５７】
支持体１７をベース本体１６に取り付けるにあたっては、支持体１７の接合板１７１をベース本体１６の長辺１６１近傍の縁部または短辺１６２近傍の縁部に臨ませ、接合板１７１の上面をベース本体１６の縁部の下面に当接させる。このとき同時に、支持体１７の接合板１７１に穿設した各取付孔１７２と、ベース本体１６の縁部に穿設した各取付孔１６３とを重ね合わせる。その状態で、双方の取付孔１６３、１７２に止着具５、例えばプッシュリベットを貫入することにより、支持体１７の接合板１７１をベース本体１６の縁部に対して固定する。図６、図８及び図９に示すように、トレーホルダを縦置きで使用する場合には、支持体１７の接合板１７１をベース本体１６の短辺１６２近傍の縁部に固定する。これに対し、図７に示すように、トレーホルダを横置きで使用する場合には、支持体１７の接合板１７１をベース本体１６の長辺１６１近傍の縁部に固定する。支持体１７を取り付けることで、ベース本体１６の一方の縁部つまりは前縁部が支持体１７により持ち上げられた状態となり、ベース本体１６が前方から後方に向かうにつれて沈み込むように傾斜した姿勢をとるようになる。
【００５８】
前柵２を構成する部材は、例えば透明な樹脂製の一体成形品である。前柵２は、ベース１上に積載されるトレー７の前縁に当接または近接し、トレー７の前方への崩落を抑止する。前柵２の左右幅寸法は、その上部よりも下部の方が大きく拡張している。前柵２の下部の左右幅寸法は、ベース１の支持体１７に形成したスリット１７７の開口幅に略等しい。前柵２の下部は、ベース１の支持体１７の前壁１７３に接合する部位であり、その左右両側には、当該前柵２を貫通する取付孔２３を穿ってある。
【００５９】
前柵２をベース１に取り付けるにあたっては、前柵２の下部をベース１の支持体１７のスリット１７７に上方から挿入し、前柵２の下部の前面を支持体１７の前壁１７３の背面に当接させるようにする。このとき同時に、前柵２の下部に穿設した各取付孔２３と、支持体１７の前壁１７３に穿設した各取付孔１７４とを重ね合わせる。その状態で、双方の取付孔１７４、２３に止着具５であるプッシュリベットを貫入することにより、前柵２の下部を支持体１７の前壁１７３に対して固定する。
【００６０】
前柵２を支持体１７を介してベース本体１６に取り付けたとき、ベース本体１６よりも上方に突出する前柵２は、ベース本体１６の上面に対して略垂直に屹立する。既に述べた通り、ベース本体１６は傾斜しており、前柵２もまた幾分後傾した姿勢をとる。前柵２は透明であり、ベース１上に積載されたトレー７を視覚的に遮ることがない。
【００６１】
本実施形態のトレーホルダでは、支持体１７及び前柵２のベース１に対する取付位置を、奥行方向即ち前後方向に沿って変更することが可能である。支持体１７の接合板１７１には、左右に対向するように穿たれた一対の取付孔１７２が存在する。他方、ベース本体１６の前縁部には、接合板１７１の一対の取付孔１７２に対応するように穿たれた一対の取付孔の組１６３（ａ）、１６３（ｂ）、１６３（ｃ）が、奥行方向に沿って複数配列されている。つまり、ベース本体１６における何れかの取付孔の組１６３（ａ）、１６３（ｂ）、１６３（ｃ）を選択し、その組の取付孔１６３に支持体１７の接合板１７１の取付孔１７２を重ね合わせて、しかる後それら取付孔１６３、１７２に止着具５を挿入することで、任意の取付位置に支持体１７及び前柵２を取り付けることができる。ひいては、トレーホルダにおいて前後に並立する前柵２と後柵４との間の内法を、トレー７の奥行寸法に合わせて複数段階に拡大または縮小することが可能となっている。
【００６２】
左右に対をなす側柵３はそれぞれ、例えば樹脂製の一体成形品であり、奥行方向に拡張しかつ上方に伸長する本体３１と、本体３１の下端にて内側方に屈曲して延出する取付部３２とを備えている。
【００６３】
側柵３の本体３１は、ベース１上に積載されるトレー７の側縁に当接または近接し、トレー７の側方への崩落を抑止する。
【００６４】
取付部３２は、ベース本体１６に接合する部位である。取付部３２には、これを貫通する複数の取付孔３２４を穿っている。取付部３２に設けた複数の取付孔３２４の配置は、ベース本体１６の長辺１６１近傍の縁部や短辺１６２近傍の縁部に設けた取付孔１６３の配置に等しい。また、取付部３２の奥行方向の中間部には、その内側端から下方に屈曲して垂下した把手３２２を設けている。
【００６５】
側柵３をベース１に取り付けるにあたっては、側柵３の取付部３２をベース本体１６の長辺１６１近傍の縁部または短辺１６２近傍の縁部に臨ませ、取付部３２の上面をベース本体１６の縁部の下面に当接させる。このとき同時に、取付部３２に穿設した各取付孔３２４とベース本体１６の縁部に穿設した各取付孔１６３とを重ね合わせる。その状態で、双方の取付孔１６３、３２４に止着具５であるプッシュリベットを貫入することにより、取付部３２をベース本体１６の縁部に対して固定する。図６、図８及び図９に示すように、トレーホルダを縦置きで使用する場合には、側柵３の取付部３２をベース本体１６の長辺１６１近傍の縁部に固定する。これに対し、図７に示すように、トレーホルダを横置きで使用する場合には、側柵３の取付部３２をベース本体１６の短辺１６２近傍の縁部に固定する。
【００６６】
側柵３をベース本体１６に取り付けたとき、ベース本体１６よりも上方に突出する側柵３の本体３１は、ベース本体１６の上面に対して略垂直に屹立する。
【００６７】
本実施形態のトレーホルダでは、側柵３のベース１に対する取付位置を、幅方向即ち左右方向に沿って変更することが可能である。側柵３の取付部３２には、前後に対向するように穿たれた一対の取付孔３２４が存在する。他方、ベース本体１６の左右の側縁部には、取付部３２の一対の取付孔３２４に対応するように穿たれた一対の取付孔の組１６３（ａ）、１６３（ｂ）、１６３（ｃ）が、幅方向に沿って複数配列されている。つまり、ベース本体１６における何れかの取付孔の組１６３（ａ）、１６３（ｂ）、１６３（ｃ）を選択し、その組の取付孔１６３に側柵３の取付部３２の取付孔３２４を重ね合わせて、しかる後それら取付孔１６３、３２４に止着具５を挿入することで、任意の取付位置に側柵３を取り付けることができる。ひいては、トレーホルダにおいて左右に両立する側柵３間の内法を、トレー７の幅寸法に合わせて複数段階に拡大または縮小することが可能となっている。
【００６８】
後柵４は、例えば樹脂製の一体成形品であり、幅方向に拡張しかつ上方に伸長する本体４１と、本体４１の下端にて前方に屈曲して延出する取付部４２とを備えている。
【００６９】
後柵４の本体４１は、ベース１上に積載されたトレー７の後縁に当接または近接し、トレー７の後方への崩落を抑止する。この後柵４の本体４１は、取付部４２に連なる下端からある程度の高さまで上方に延びる当接部４１１と、当接部４１１の上端から一旦後方に屈曲してしかる後再び上方に延伸する退避部４１２とを有している。
【００７０】
取付部４２は、ベース本体１６に接合する部位である。取付部４２には、これを貫通する複数の取付孔４２２を穿っている。取付部４２に設けた複数の取付孔４２２の配置は、ベース本体１６の長辺１６１近傍の縁部や短辺１６２近傍の縁部に設けた取付孔１６３の配置に等しい。
【００７１】
後柵４をベース１に取り付けるにあたっては、後柵４の取付部４２をベース本体１６の長辺１６１近傍の縁部または短辺１６２近傍の縁部に臨ませ、取付部４２の下面をベース本体１６の縁部の上面に当接させる。このとき同時に、取付部４２に穿設した各取付孔４２２とベース本体１６の縁部に穿設した各取付孔１６３とを重ね合わせる。その状態で、双方の取付孔４２２、１６３に止着具５であるプッシュリベットを貫入することにより、取付部４２をベース本体１６の縁部に対して固定する。図６、図８及び図９に示すように、トレーホルダを縦置きで使用する場合には、後柵４の取付部４２をベース本体１６の短辺１６２近傍の縁部に固定する。これに対し、図７に示すように、トレーホルダを横置きで使用する場合には、後柵４の取付部４２をベース本体１６の長辺１６１近傍の縁部に固定する。
【００７２】
後柵４をベース本体１６に取り付けたとき、ベース本体１６よりも上方に突出する後柵４の本体４１は、ベース本体１６の上面に対して略垂直に屹立する。ベース本体１６は傾斜しており、後柵４の本体４１もまた幾分後傾した姿勢をとる。
【００７３】
本実施形態のトレーホルダでは、後柵４のベース１に対する取付位置を、奥行方向即ち前後方向に沿って変更することが可能である。後柵４の取付部４２には、左右に対向するように穿たれた一対の取付孔４２２が存在する。他方、ベース本体１６の後縁部には、取付部４２の一対の取付孔４２２に対応するように穿たれた一対の取付孔の組１６３（ａ）、１６３（ｂ）、１６３（ｃ）が、幅方向に沿って複数配列されている。つまり、ベース本体１６における何れかの取付孔の組１６３（ａ）、１６３（ｂ）、１６３（ｃ）を選択し、その組の取付孔１６３に後柵４の取付部４２の取付孔４２２を重ね合わせて、しかる後それら取付孔４２２、１６３に止着具５を挿入することで、任意の取付位置に後柵４を取り付けることができる。ひいては、トレーホルダにおいて前後に並立する前柵２と後柵４との間の内法を、トレー７の奥行寸法に合わせて複数段階に拡大または縮小することが可能となっている。
【００７４】
本実施形態のトレーホルダを用いる際には、図６や図７に示しているように、ベース１の上方、四方の柵２、３、４に包囲された領域内に、複数枚のトレー７を、通常は下向きにして伏せた状態で積み上げる。
【００７５】
ベース本体１６の上面が傾斜していることから、複数枚のトレー７はやや傾いた軸に沿って上方に積み上がることとなる。このとき、図８に示すように、ベース１に近い下方に位置するトレー７の後縁は後柵４の当接部４１１に当接するが、当接部４１１よりも高い位置にあるトレー７の後縁は後柵４に当接せず、そのトレー７の後縁と後柵４の退避部４１２との間にはある程度の大きさの隙間Ｓが生じる。
【００７６】
本実施形態において、側柵３の本体３１は前柵２の本体２１の外側端よりも外側方に位置し、側柵３の本体３１の前端は前柵２の本体２１よりも後方に位置している。つまり、前柵２の本体２１と側柵３の本体３１とは離間しており、ベース１上に積載されるトレー７の前方の隅角部７１が両者の間に差し入って露出する。
【００７７】
因みに、後柵４の本体４１と側柵３の本体３１との間も、同様に離間している。即ち、側柵３の本体３１は後柵４の本体４１の外側端よりも外側方に位置し、側柵３の本体３１の後端は後柵４の本体４１よりも前方に位置しており、ベース１上に積載されるトレー７の後方の隅角部が両者の間に差し入って露出する。
【００７８】
本実施形態のトレーホルダからトレー７を持ち出して使用しようとする者は、前柵２及び側柵３によって遮られずに露出しているトレー７の隅角部７１に手指を掛けることで、ベース１上に積載された複数枚のトレー７のうちの最上段のトレー７を取り上げる。トレー７には、樹脂製のものも紙製のものもあるが、近時では、ベーカリーショップ等において紙製のトレー７が使用されるケースが増えてきている。紙製のトレー７は、硬質樹脂製のトレーと比較して全体的な剛性が低くなるものの、前縁と側縁とが交わる隅角部７１の剛性は他の部位と比較して高くなる。本実施形態のトレーホルダは、この剛性の高い隅角部７１を露出させる一方で、トレー７の隅角部７１以外の部位を前柵２や側柵３によって遮蔽する。これにより、トレー７を持ち出そうとする者が自然に隅角部７１に手指を掛けるように誘導される。
【００７９】
加えて、高い位置に積まれたトレー７の後縁と後柵４の退避部４１２との間には隙間Ｓが存在しており、その隙間Ｓを利用して最上段のトレー７を後柵４に向かって後方に変位させる操作を行うことで、最上段のトレー７を下方のトレー７に対し相対的に変位させることが可能である。これにより、最上段のトレー７のみを他のトレー７から脱離させることが容易となる。
【００８０】
本実施形態では、複数枚のトレー７を積み上げた状態で載置することのできるベース１と、前記ベース１から起立し、ベース１上に積載されたトレー７の前縁に当接または近接する前柵２と、前記ベース１から起立するとともに、前記前柵２の側端よりも外側方に位置し、またその前端が前柵２よりも後方に位置して前柵２から離間しており、ベース１上に積載されたトレー７の側縁に当接または近接する側柵３と、前記ベース１から起立し、ベース１上に積載されたトレー７の後縁に当接または近接する後柵４とを具備するトレーホルダを構成した。
【００８１】
本実施形態によれば、前柵２、側柵３及び後柵４が、ベース１上に積載された複数枚のトレー７の崩落を好適に抑止する。さらに、前柵２と側柵３とを間隙を隔てて設立しており、それら前柵２と側柵３との間隙を介してトレー７の隅角部７１を露出させることができる。このため、トレー７を手に取ろうとする者が、最上段のトレー７の隅角部７１に手指を掛けて簡便にこれをトレーホルダから持ち出すことが可能となる。また、トレー７の内部に手を触れずにトレー７を取り上げることができるので、そのトレー７を食品等を載せる目的で使用するときに衛生的である。
【００８２】
加えて、本実施形態では、トレー７が積載される前記ベース１の上面が前方から後方に向かうにつれて沈み込むように傾斜しているので、積み上げられた一枚一枚のトレー７の隅角部７１の間に手指を差し入れる隙間が生じやすくなる。いわば、前方においてトレー７の一枚一枚が離れやすくなる。従って、最上段のトレー７を一層容易に手に取ることができる。
【００８３】
前記後柵４が、前記ベース１上に積載されたトレー７の後縁に突き当たる当接部４１１と、この当接部４１１よりも上方にあってその高さまで積み上げたトレー７の後縁との間に隙間Ｓが生じるように当接部４１１よりも後方に退避している退避部４１２とを有しているため、最上段のトレー７を下方のトレー７に対し相対的に後方に変位させるように操作することが可能であり、最上段のトレー７のみを簡便に他のトレー７から脱離させることができる。
【００８４】
前記側柵３の前記ベース１に対する取付位置を幅方向に沿って変更することができるため、幅寸法の異なるトレー７に対応することが可能である。
【００８５】
並びに、前記後柵４のベース１に対する取付位置を前後方向に沿って変更することができるため、奥行寸法の異なるトレー７に対応することが可能である。
【００８６】
前記前柵２が透明であるため、ベース１上に積載されたトレー７を正面側から容易に視認することができる。
【００８７】
なお、本発明は以上に詳述した実施形態に限られるものではない。例えば、上記実施形態では、前柵２、側柵３及び後柵４をベース１に取り付けるための止着具５としてプッシュリベットを採用していたが、これ以外の種類の止着具５、例えばねじまたはボルト及びナット等を使用することもできる。
【００８８】
あるいは、前柵２、側柵３及び後柵４のうち少なくとも一つまたは全てを、ベース１に対して溶着、溶接、接着する等して取り外し不能に固定しても構わない。
【００８９】
上記実施形態では、トレー７が載置されるベース１の上面が傾斜していたが、ベースの上面を傾斜していない水平面とすることを妨げない。
【００９０】
その他、各部の具体的構成は、本発明の趣旨を逸脱しない範囲で種々変形が可能である。
【産業上の利用可能性】
【００９１】
本発明は、複数枚のトレーを積み上げた状態で保持するためのトレーホルダに適用することができる。
【符号の説明】
【００９２】
１…ベース
２…前柵
３…側柵
４…後柵
４１１…当接部
４１２…退避部
７…トレー
Ｓ…隙間
【図１】
2018095314.tif 000003
【図２】
2018095314.tif 000004
【図３】
2018095314.tif 000005
【図４】
2018095314.tif 000006
【図５】
2018095314.tif 000007
【図６】
2018095314.tif 000008
【図７】
2018095314.tif 000009
【図８】
2018095314.tif 000010
【図９】
2018095314.tif 000011